(57)【特許請求の範囲】
【請求項１】
前面が開放され、下端面にケーブル接続部を、背面のほぼ中央部に後方へ突設する取付座をそれぞれ備えた本体と、本体正面の開放部を覆う開閉蓋とを備え、前記本体背面にマスト取付部材と壁面取付部材とをそれぞれ有するとともに、前記マスト取付部材は、前記取付座の、上下方向に長く幅が広い長孔部に基部が挿通されるＵ字形ボルトと、前記Ｕ字形ボルトの両側ねじ部が挿通可能である両側の長孔を有し前記Ｕ字形ボルトの両側ねじ部間に跨った状態で取り付けられ前記基部を回転軸として後方および下方の略９０°の範囲で回転可能に配設してなる断面コの字形のマスト押え具と、前記両側ねじに螺合される締付ねじとを有する電子機器ケースにおいて、
前記本体背面に、前記Ｕ字形ボルトの両側ねじ部内側間の距離よりもわずかに広いか、両側ねじ部外側間の距離よりもわずかに狭い間隔からなる一対の保持片を相対向させて後方へ突設するとともに、前記保持片の間において本体背面の下端部またはその近傍より前記マスト押え具の支持部材を後方へ突設し、
前記Ｕ字形ボルトの基部が前記マスト取付部材の長孔部に挿通され前記マスト押え具および前記締付ねじを用いて前記Ｕ字形ボルトが前記取付座に取り付けられた状態で、前記Ｕ字形ボルトを前記上下方向に長孔部内をスライドさせることで、前記マスト押え具が前記本体の下端縁部と前記支持部材とを挟み込んで保持される構成としている
ことを特徴とする電子機器ケース。
【請求項２】
一対の前記各保持片に前記支持部材が一体に融合されて、前記本体の下端部またはその近傍に突設されていることを特徴とする請求項１記載の電子機器ケース。
【請求項３】
前記壁面取付部材は、前記本体背面の下端両側隅角部またはその付近に設けられ、壁面取付用止めねじの挿通部を有し、かつ背面より後方に前記マスト取付部材の取付座と同一もしくはわずかに高く突出する当接座から構成されていることを特徴とする請求項１または２記載の電子機器ケース。
【請求項４】
前記マスト取付部材の取付座の幅方向中央部には、上下方向に間隔をあけ凹状係合溝が形成される一方、前記マスト押え具は、縦断面コの字形で幅方向の中央部に内側に向け凹状に湾曲した係合部が形成され、電子機器ケースの壁面取付状態で前記両側の当接座の中間位置にあって前記本体背面の下端縁部および前記支持部材を前記マスト押え具の相対向辺間で挟むように支持できるようにすることを特徴とする請求項３記載の電子機器ケース。
【請求項５】
前記Ｕ字形ボルトの、マスト押え具の両側取付孔を長孔にするとともに、前記本体背面の下端縁部に前記マスト押え具の前記係合部に当接可能な係止部を突設したことを特徴とする請求項４記載の電子機器ケース。
【発明の詳細な説明】
【技術分野】
【０００１】
本発明は、増幅器、混合器、分配器、フィルターなどの電子機器を収納する電子機器ケースに関するもので、詳しくは、電子機器ケースを例えばテレビ電波受信用アンテナのマストに取り付けたり、建造物の外壁などに取り付けたりするための電子機器ケースの取付構造に関する。
【背景技術】
【０００２】
この種の電子機器は、主にテレビ電波受信用アンテナと組み合わせて使用されることが多く、ベランダや屋根に立設されるアンテナ用マストに取り付けたり、建造物の外壁に取り付けたりされている。
【０００３】
ところで、上記電子機器ケースに関する先行技術に「前面が開放され、下方にケーブル取付部を備えている本体（２）と、本体（２）の開放部を覆うようにしてある蓋体（３）とから成り、上記本体（２）の背面（11）の側にマスト取付部材（５）と、壁面取付部材（７）の両取付部材を備えている電子機器ケースにおいて、上記マスト取付部材（５）は、背面（11）に固着されている当付座（16）と、基部（26）は当付座（16）に備えさせた締付具引止用の透孔（19）に起倒自在に挿通し、持出状の自由端部（27）にはねじが形成してあるＵ字形ボルト（23）と、中央部はマスト添付部（28）にしてその両側にはＵ字形ボルト（23）の自由端部（27）を挿通するための透孔を備える板材形成の押え具（24）と、締付ねじ（25）で構成し、上記壁面取付部材（７）は、背面（11）の下方における両側位置から夫々上記当付座（16）と同方向で、かつ同寸法だけ突出させ、しかも夫々の中央部には壁面取付用止着ねじ（37）の挿通用の挿通孔（35）を備える二つの座（34）で構成し、さらに上記二つの座（34）の中間には、上記Ｕ字形ボルト（23）を下方に倒した状態で上記Ｕ字形ボルト（23）の自由端部（27）に付着した押え具（24）を収納する為の収納部（40）を形成し、そこには押え具（24）を保持する為の保持体（41）を備えさせ、さらに押え具（24）の幅寸法は、上記収納部（40）に納めた状態で、それの出張り寸法（Ｌ）が、上記座（34）の突出寸法と同じか、乃至はそれより小さくなるように設定してある」構造の電子機器ケースが提案されている(例えば、特許文献１参照）。なお、()内の番号は図面上で使用されている各部材の符号である。
【０００４】
上記の特許文献１に記載の電子機器ケースは、マストおよび壁面のいずれに対する取り付けも可能であること、壁面に取付ける場合においては、マスト取付具の処理がスマートに納まり、かつ、ケース本体を壁面になるべく近く沿わせた状態で取り付けることができることを目的として発明されたものであるが、同様の目的で発明された他の電子機器ケースの先行技術に、例えば、特許文献２および特許文献３がある。
【特許文献１】特許第２５７２９８１号公報（第２頁・第３頁および第１図〜第３図・第８〜第１１図）
【特許文献２】実開昭５４−１５７１８１号公報
【特許文献３】実開昭５７−３１８８５号公報
【発明の開示】
【発明が解決しようとする課題】
【０００５】
ところで、上記の特許文献１に記載の電子機器ケースには、つぎのような点で改良すべき余地がある。すなわち、
二つの座（34）の中間に、Ｕ字形ボルト（23）を下方に倒した状態でＵ字形ボルト（23）の自由端部（27）に付着した押え具（24）を収納する為の収納部（40）を形成している。また収納部（40）内には押え具（24）を保持する為の保持体（41）を備えている。つまり、保持体（41）自身が押え具（24）を保持する機能(実施例では押え具（24）の連結部（29）の縁部を嵌脱可能な保持溝（42））を有している。したがって、上記の従来の電子機器ケースは、押え具（24）を保持体（41）の例えば保持溝（42）に嵌め込んで保持できるので押え具（24）を締付ねじ（25）で締め付けなくても簡単に保持できるという利点がある反面、本体下端部の構造が非常に複雑で、製造に手間がかかる。また、実施例では保持溝（42）に押え具（24）の縁部を嵌め込んで保持する構造にしているので、押え具（24）を保持溝（42）に嵌入可能な板材で形成する必要がある。このため、マストに取り付ける際に、本体背面の当付座（16）と押え具（24）とでマストを挟持して締付ねじ（25）で締め付ける場合に、押え具（24）の強度を高める必要があり、比較的厚みのある板を使用しなければならない。一方、本願発明については、後述するように、押え具を断面コの字形に形成すれば、板厚が薄くても必要な強度を確保でき、またマストに対し押え具の係合部に係止歯を設けるなどしてより確実に係合可能な構造にできるが、板状ではそのような構造にするのは困難である。
【０００６】
本発明は上述の点に鑑みなされたもので、マストおよび壁面のいずれに対する取り付けも可能であること、壁面に取り付ける場合には、マスト取付部材が下端スペースに体裁よく納り、かつケース本体を壁面に接近させた状態で取り付けることができ、とくにＵ字形ボルトおよびマスト押え具をねじの締付などの手間のかかる作業を行わずに簡単に固定でき、製品としての電子機器ケースの輸送時などにＵ字形ボルトやマスト押え具のガタつきが生じず、しかも構造が簡単で製造も容易であり、コストダウンが図れる電子機器ケースを提供することを目的としている。
【課題を解決するための手段】
【０００７】
上記の目的を達成するために本発明に係る電子機器ケースは、前面が開放され、下端面にケーブル接続部を、背面のほぼ中央部に後方へ突設する取付座をそれぞれ備えた本体と、本体正面の開放部を覆う開閉蓋とを備え、前記本体背面にマスト取付部材と壁面取付部材とをそれぞれ有するとともに、前記マスト取付部材は、前記取付座の、上下方向に長く幅が広い長孔部に基部が挿通されるＵ字形ボルトと、前記Ｕ字形ボルトの両側ねじ部が挿通可能である両側の長孔を有し前記Ｕ字形ボルトの両側ねじ部間に跨った状態で取り付けられ前記基部を回転軸として後方および下方の略９０°の範囲で回転可能に配設してなる断面コの字形のマスト押え具と、前記両側ねじに螺合される締付ねじとを有する電子機器ケースにおいて、前記本体背面に、前記Ｕ字形ボルトの両側ねじ部内側間の距離よりもわずかに広いか、両側ねじ部外側間の距離よりもわずかに狭い間隔からなる一対の保持片を相対向させて後方へ突設するとともに、前記保持片の間において本体背面の下端部またはその近傍より前記マスト押え具の支持部材を後方へ突設し、前記Ｕ字形ボルトの基部が前記マスト取付部材の長孔部に挿通され前記マスト押え具および前記締付ねじを用いて前記Ｕ字形ボルトが前記取付座に取り付けられた状態で、前記Ｕ字形ボルトを前記上下方向に長孔部内をスライドさせることで、前記マスト押え具が前記本体の下端縁部と前記支持部材とを挟み込んで保持される構成としていることを特徴とするものである。
【０００８】
上記の構成を有する本発明の電子機器ケースによれば、まずマストに取り付ける場合は、Ｕ字形ボルトを本体下端から上方に回転させて本体背面に対しほぼ直角に起立させた状態で、マストの一面に本体背面の取付座を当接させ、マストの反対面にマスト押え具を押し当て、締付ねじを締め付けて緊締する。この状態で、電子機器ケースはその取付座とマスト押え具とでマストを挟持し、堅固に固定される。一方、外壁などの壁面に取り付ける場合には、Ｕ字形ボルトは梱包から取り出したとき、その両側ねじ部の端部付近にマスト押え具を跨って取り付けられ、かつ締付ねじをそれぞれ両側ねじ部に螺合した状態(非緊締状態）になっている。このとき、Ｕ字形ボルトの両側ねじ部の内側または外側に本体背面から後方に突出する一対の保持片が当接し、Ｕ字形ボルトの両側ねじ部は両側方へやや拡がった状態または内側方へやや縮められた状態になる。これにより、Ｕ字形ボルトが本体背面上に下向きに折り畳まれて保持・固定され、両側ねじ部の下端寄りに位置するマスト押え具と締付ねじは本体下端よりやや下方の位置において保持され、両側の壁面取付部材間に収まる。この状態でも、マスト押え具と締付ねじはＵ字形ボルトのねじ部に保持されているので、このままでも、電子機器ケースを止めねじで壁面に取り付けることができる。しかし、マスト押え具がガタつくおそれがあるときには、マスト押え具を両側ねじ部に沿って押し上げ、支持部材に当接させることでガタつきをなくせる。このとき、締付ねじを各ねじ部に沿って回転させ、マスト押え具に当接して締め付ければ、より一層確実にガタつきをなくすことができる。
また、Ｕ字形ボルトの両側ねじ部間に跨るマスト押え具および締付ねじを取り付け、本体背面に添わせた状態で、マスト押え具および締付ねじとともにＵ字形ボルトを前記取付座の長孔部に沿って押し上げることにより、本体背面の下端縁部にマスト押え具を支持させてＵ字形ボルトを簡単に、つまり締付ねじを緊締する作業なしに確実に保持・固定できる。
【０００９】
請求項２に記載のように、一対の前記各保持片に前記支持部材を一体に融合して、前記本体の下端部またはその近傍に突設することができる。
【００１０】
このようにすれば、Ｕ字形ボルトの保持片とマスト押え具の支持部材とがそれぞれ一体化され、一対の部材となって構造が簡素化される。
【００１１】
請求項３に記載のように、前記壁面取付部材は、前記本体背面の下端両側隅角部またはその付近に配置し、壁面取付用止めねじの挿通部および本体背面より後方に前記マスト取付部材の取付座と同一もしくはわずかに高く突出する当接座から構成することが好ましい。
【００１２】
このようにすれば、電子機器ケースを建造物の外壁などの壁面に取り付けた状態で、マスト取付部材およびＵ字形ボルトの大部分が本体の背面側に隠れ、Ｕ字形ボルトの両側ねじ部の一部、マスト押え具および締付ねじが壁面取付部材間に収まり、外観が良好になる。
【００１５】
請求項４に記載のように、前記マスト取付部材の取付座の幅方向中央部には、複数の凹状係合溝を上下方向に間隔をあけて形成する一方、前記マスト押え具は、縦断面コの字形で幅方向の中央部に内側に向け凹状に湾曲した係合部を形成し、電子機器ケースの壁面取付状態で前記両側の当接座の中間位置で前記本体背面の下端縁部および前記支持部材をマスト押え具の相対向辺で挟むように支持されるようにすることが好ましい。
【００１６】
このようにすれば、電子機器ケースをマストに取り付ける際に、マスト取付部材の取付座における複数の凹状係合溝と断面コの字形のマスト押え具における上下の内側に向け凹状に湾曲した係合部とでマストを両側から挟持して締付ねじで締め付けることにより、堅固に取り付けることができる。また、電子機器ケースを壁面に取り付ける際には、マスト押え具をＵ字形ボルトの両側ねじ部に沿って押し上げ本体背面の下端縁部と支持部材をマスト押え具のコの字形の相対向辺間で挟み込むことにより、マスト押え具のガタつきもなくなり、本体背面の下端部にしっかりと支持できる。しかも、この構成（断面コの字形）によると、マスト押え具の支持部材を例えば板状片にすることができるため、構造が簡略化される。
【００１７】
請求項５に記載のように、前記Ｕ字形ボルトの、マスト押え具の両側取付孔を長孔にするとともに、前記本体背面の下端縁部に前記マスト押え具の前記係合部に当接可能な係止部を突設することができる。
【００１８】
このようにすれば、締付ねじを締め付けなくても、マスト押え具の幅方向へのガタつきが係止部によって阻止される。
【発明の効果】
【００１９】
本発明に係る電子機器ケースには、つぎのような優れた効果がある。
【００２０】
マストおよび壁面のいずれに対する取り付けも可能であり、壁面に取り付ける場合においては、マスト取付部材が下方のスペースに体裁よく納り、またケース本体を壁面に接近させた状態で取り付けられ、前方への無駄な出っ張りを避けられるほか、とくにＵ字形ボルトおよびマスト押え具をねじの締付などの手間のかかる作業を行わずに簡単に保持でき、しかも構造が簡単で製造も容易であるため、コストダウンを容易に図ることができる。
【発明を実施するための最良の形態】
【００２１】
以下、本発明に係る電子機器ケースについて実施の最良の形態を図面に基づいて説明する。
【００２２】
図１は電子機器ケースの実施例を示す底面方向から見た正面側斜視図、図２は同底面方向から見た背面側斜視図、図３はＵ字形ボルト、マスト押え具、締付用蝶ねじおよびキャップを電子機器ケースの本体から分解した状態を示す背面側斜視図、図４は電子機器ケースをマストに取り付けた状態を示す上方から見た背面側斜視図である。図５は本発明の主要部を示す電子機器ケースの一部背面図およびＵ字形ボルトの平面図、図６は電子機器ケースの壁面に取り付ける直前の状態を示す底面図、図７は同主要部断面図である。
【００２３】
図１に示すように、本例の電子機器ケース１はアンテナなどで受信したテレビジョン信号の増幅器(図示せず）を内蔵するもので、正面(前面)を開放した箱状の本体２と、この本体２の開放部を開閉自在に覆う開閉蓋３とを備え、開閉蓋３の上端は本体２の両側面２ｂにおいて上端背面寄りに支軸４により開閉自在に軸着されている。この状態で、開閉蓋３の下端は支軸４を中心に上方に向け開放される。なお、本例では本体２および開閉蓋３はそれぞれ合成樹脂製である。本体２の底面２ｃには、本例では複数（５つ）の接続端子用挿通孔５が設けられており、本例では左端の挿通孔５内にテレビジョン信号を入力する入力端子２１が、右端の挿通孔５内に増幅されたテレビジョン信号を出力する出力端子２２がそれぞれ設けられている。
【００２４】
図２・図３に示すように、本体２の背面２ａにおいてほぼ中央部に、マスト取付部材の主要部分である略箱形の合成樹脂製取付座７が後方へ向け一体に突設されている。マスト取付部材は、取付座７のほか、金属製のＵ字形ボルト８、金属製または合成樹脂製マスト押え具９、一対の金属製蝶ねじ１０および一対の合成樹脂製軟質キャップ１４からなっている。
【００２５】
取付座７は幅方向の中間位置に、凹状係合溝７ａが上下(高さ)方向に間隔をあけて複数個設けられている。また、取付座７の高さ方向のほぼ中間位置に挿通孔７ｂが幅方向に貫通して穿設され、その挿通孔７ｂにＵ字形ボルト８の基部８ｂが回転可能に挿通されている。また挿通孔７ｂの両側開口７ｃの上側と下側には取付座７の両側面から略三角形状の突起部７ｄ・７ｅがそれぞれ外側方へ突設されている。上側の突起部７ｄは下側の突起部７ｅに比べて外方への突出寸法が大きく、Ｕ字形ボルト８は本体２の背面２ａに対し略直角に起立した状態から、上方への回転が上側の突起部７ｄに当たって阻止されるが、下方への回転は下側の突起部７ｅに接触し、わずかに両側ねじ部８ａが拡がる程度で許容される。なお、Ｕ字形ボルト８の両側先端部分には外周面に雄ねじが刻設されてねじ部８ａに形成されている。これらの各ねじ部８ａには、蝶ねじ１０が回転可能に螺合されている。
【００２６】
マスト押え具９は、板状面９ａの上下縁部から相対向辺９ｂ・９ｂが前方に張出し断面コの字形に形成されている。板状面９ａの両側にはＵ字形ボルト８の両側ねじ部８ａに挿通可能な取付孔としての長孔９ｃ・９ｄが穿設され、図３に示すように一方の長孔９ｄは一部が切り欠かれている。また、上下の相対向辺９ｂ・９ｂの幅方向中央部は円弧状または山形状で内側に湾曲する凹状部９ｅに形成され、凹状部９ｅの内側（内面）が歯型の係合部９ｆに形成されている。
【００２７】
図３に示すように、本体２の背面２ａにおいて下端部の両側隅角部に壁面取付部材１１が後方へ突設されている。各壁面取付部材１１はＵ形の合成樹脂製当接座１２を備え、各当接座１２には壁面取付用止めねじ（図示せず）の挿通部１２ａが設けられており、各当接座１２はマスト取付部材の取付座７と本体２の背面より後方に突出する寸法（高さ）を同一または取付座７よりやや高く設定している。また壁面取付部材１１は本例では当接座１２と一体の脚部１３を備え、各脚部１３の一部は本体２の側面２ｂからやや外側方に張り出させて設けている。
【００２８】
続いて本発明の特徴部分であるＵ字形ボルト８・マスト押え具９などの保持手段について実施例を説明する。
【００２９】
図３に示すように、本体２の背面２ａを構成する平面部は、下端縁部２ｄが底面２ｃよりやや下方へ突出している。そして、図５（ａ）に示すように下端縁部２ｄに向けて直角に、取付座７の両側面から平行へ直線（図示せず）を引いた位置上で下端縁部２ｄ付近に一対の保持片１５・１５が後方へ向け突設されている。保持片１５・１５の各外側面間の距離Ａは、図５に示すように、Ｕ字形ボルト８の両側ねじ部８ａの内側間の距離Ｂよりわずかに大きく（Ａ＞Ｂ）設定している。また、本例では各保持片１５を、背面２ａの下端部に配置するとともに、図７に示すように保持片１５の高さｈに下端縁部２ｄの厚み分ｔを加えた合計高さＨ'(ｔ＋ｈ）がマスト押え具９の内寸（対向辺９ｂ内面間の距離Ｈ）と同一か、わずかに小さく（Ｈ≧Ｈ’）なるように設定することによって、マスト押え具９の支持部材１６を一体に融合（兼用）している。
【００３０】
図８は本発明の電子機器ケースの他の実施例を示す本体の主要部分の背面図である。
【００３１】
同図に示すように、本例の電子機器ケース１’では、一対の板状保持片１５・１５を本体背面２ａ上において、取付座７と背面２ａの下端縁部２ｄとの中間位置に相対向させて平行に後方へ突設し、マスト押え具９の支持部材１６は板状に形成して両側ねじ部８ａ間において背面２ａの下端縁部２ｄに沿って後方へ突設している。また、支持部材１６の高さｈは、上記実施例の保持片１５と同様に下端縁部２ｄの厚み分ｔを加えた合計高さＨ'(ｈ＋ｔ）がマスト押え具９の内寸（対向辺９ｂ内面間の距離Ｈ）と同一か、わずかに小さく（Ｈ≧Ｈ’）なるように設定する必要があるが、本例の保持片１５の高さについては取付座７より低ければ、とくに限定されない。なお、その他の構成については上記実施例と共通するので、共通の部材については同一の符号を用いて示し、詳しい説明を省略する。
【００３２】
以上に本発明の電子機器ケースについて２つの実施例を示したが、つぎにそれらの使用態様について説明する。
【００３３】
まず、電子機器ケース１を壁面に取り付ける場合には、包装箱から取り出した状態で、すなわち、図２に示すようにＵ字形ボルト８が本体背面２ａに添って下方へ折り畳まれた状態で使用する。この状態で、Ｕ字形ボルト８の両側ねじ部８ａは両側方へ押し拡げられ、保持片１５間に挟持され、本体背面２ａに添って保持されるとともに、マスト押え具９の相対向辺９ｂ・９ｂ内面間に下端縁部２ｄと支持部材１６とが挟み込まれ、保持される。このとき、Ｈ’（支持部材１６の高さｈに厚みｔを加えた合計高さ）がマスト押え具９の内寸法Ｈよりもわずかに小さければ、蝶ねじ１０を締め付けることでマスト押え具９が確実に固定される。なお、Ｈ’がマスト押え具９の内寸法Ｈと同一である場合は、とくに蝶ねじ１０を締め付ける必要はない。
【００３４】
上記の状態は図２に示すとおりであり、Ｕ字形ボルト８・マスト押え具９などのマストＭに電子機器ケース１を取り付けるための部材（緊締具）は、本体２下端の両側の壁面取付部材１１間に保持されている。また、図２から明らかなように、Ｕ字形ボルト８・押え具９・蝶ねじ１０の全ての緊締部材は、取付座７および両側の当接座１２の突出部位内に収まる。そこで、図１に示すように、電子機器ケース１の開閉蓋３を正面にして上下方向に向けた状態で、壁面に対し本体２背面側の取付座７および下端両側の当接座１２・１２を添わせて押し付け、この状態で当接座１２の挿通部１２ａに止めねじを挿通させ、止めねじを壁面にねじ込むことにより電子機器ケース１を取り付けることができる。
【００３５】
一方、マストＭに取り付ける場合には、まず、図２の状態においてマスト押え具９を支持部材１６に干渉しない位置へ移動する。そして、図４に示すように、Ｕ字形ボルト８を基部８ｂを中心に上方へ略９０°回転させて本体２の背面２ａに対し略直角に起立させ、マストＭの一面に電子機器ケース１の取付座７の係合溝７ａを当接する。この状態で、Ｕ字形ボルト８の基部８ｂ両側は上下の突起部７ｄ・７ｅに挟まれて支持され、安定して保持、つまり上方へはもちろん下方へも回転し難くなっている。ここで、押え具９の両側の長孔９ｃ・９ｄを両側ねじ部８ａに挿通し、両側ねじ部８ａ間に跨った状態に取り付け、両側の蝶ねじ１０を締め付ける。マスト押え具（係合部）９は両側ねじ部８ａに沿ってマストＭ側へ押し付けられ、幅方向中央部の係合歯９ｆがマストＭの反対面に押圧される。この状態で、各蝶ねじ１０を締め付ければ、マストＭが取付座７の係合溝７ａとマスト押え具９の係合歯（係合部）９ｆとで挟持され、電子機器ケース１はマストＭに対し堅固に固定される。
【００３６】
以上に本発明の電子機器ケースについて２つの実施例を挙げて説明したが、例えば下記のように実施することもできる。
【００３７】
図９（ａ）は本発明の電子機器ケースの第３実施例を示す本体の主要部分の背面図、図９（ｂ）はＵ字形ボルトの平面図である。本例の電子機器ケース１−３は、図９（ａ）に示すように下端縁部２ｄに向けて直角に、取付座７の両側面から平行へ直線（図示せず）を引いた位置上で下端縁部２ｄ付近に一対の保持片１５’・１５’を後方へ向けて突設しているが、保持片１５’・１５’の各内側面間の距離Ａ’は、図９（ｂ）に示すＵ字形ボルト８の常態における両側ねじ部８ａの外側間の距離Ｂ’よりわずかに小さく（Ｂ’＞Ａ’）設定している。また、本例ではマスト押え具９の支持部材１６は板状に形成し、背面２ａの下端縁部２ｄに沿って後方へ突設している。そして、両側ねじ部８ａ間が保持片１５’・１５’によって内側に押し付けられた状態で、支持部材１６が両側ねじ部８ａ間に挟持されるようにしてＵ字形ボルト８を確実に保持できるようにしている。なお、その他の構成については上記実施例と共通するので、共通の部材については同一の符号を用いて示し、詳しい説明を省略する。
【００３８】
図１０および図１１は本発明の電子機器ケースの第４実施例を示す図面であるが、本例の電子機器ケース１−４は、上記第３実施例と共通の考え方で、保持片１５’・１５’の各内側面間の距離Ａ’は、図１０（ｂ）に示すＵ字形ボルト８の常態における両側ねじ部８ａの外側間の距離Ｂ’よりわずかに小さく（Ｂ’＞Ａ’）設定している。しかし、マスト押え具９の支持部材１６を各保持片１５’・１５’に一体に融合しているところが相違している。さらに、本例の場合には、取付座７の挿通孔７ｂを上下方向に積極的に拡げて長孔部７ｂ’に形成し、Ｕ字形ボルト８の基部８ｂを挿入しやすくしている。また、長孔部７ｂ’は略三角形状の上側突起部７ｄよりも上方にかけて拡げることによって、Ｕ字形ボルト８の基部８ｂを長孔部７ｂ’内で上下方向に大きくスライドできるようにしている。この結果、図１０（ａ）に示すように、蝶ねじ１０をキャップ１４に当接する位置まで下げるとともに、マスト押え具９を蝶ねじ１０に当たるまで下げた状態で、Ｕ字形ボルト８全体を長孔部７ｂ’に沿って押し上げることで、マスト押え具９を本体背面２ａ下端の支持部材１６で支持させ、Ｕ字形ボルト８を蝶ねじ１０を締め付ける手間なしにマスト押え具９とともに本体２に保持・固定できるようにしている。その他の構成については上記実施例と共通するので、共通の部材については同一の符号を用いて示し、詳しい説明を省略する。さらに、図示は省略するが、相対向する一対の保持片１５’・１５’を両間隔が下向きに漸次狭くなるテーパー状にして、Ｕ字形ボルト８の両側ねじ部８ａを保持片１５’・１５’間に嵌め込み易くすることができる。また、逆に上記第１・第２実施例の場合には、相対向する一対の保持片１５・１５の内側にＵ字形ボルト８の両側ねじ部８ａを嵌め込むので、この場合には保持片１５・１５の間隔が下向きに漸次拡がるように配置すれば、Ｕ字形ボルト８の両側ねじ部８ａを嵌め込み易くなる。
【００３９】
図１２および図１３は本発明の電子機器ケースの第５実施例を示す図面であるが、本例の電子機器ケース１−５では、マスト押え具９の幅方向へのガタつきをなくすために係止部１７を設けている。図示は省略するが、マスト押え具９の取付孔は幅方向へ延びた長孔からなり、幅方向への移動が許容される。そこで、マスト押え具９の幅方向へのガタが生じるおそれがあるため、本体下端縁部２ｄの裏面内面）に、マスト押え具９において凹状部９ｅの係合歯９ｆの両側部分が当接する一対の係止部１７・１７を間隔をあけて内向けに突設している。その他の構成については上記実施例と共通するので、共通の部材については同一の符号を用いて示し、詳しい説明を省略する。
【００４０】
なお、上記第４実施例に示した挿通孔２ｂを長孔部２ｂ’にすること、および第５実施例に示した係止部１７を設けることは、上記第１および第２実施例においても適用できることは言うまでもない。
【図面の簡単な説明】
【００４１】
【図１】本発明に係る電子機器ケースの実施例を示す底面方向から見た正面側斜視図である。
【図２】図１の電子機器ケースを底面方向から見た背面側斜視図である。
【図３】図１の電子機器ケースにおいて、Ｕ字形ボルト、マスト押え具、締付用蝶ねじおよびキャップを電子機器ケースの本体から分解した状態を示す背面側斜視図である。
【図４】図１の電子機器ケースをマストに取り付けた状態を示す上方から見た背面側斜視図である。
【図５】図５（ａ）は本発明の主要部を示す電子機器ケースの一部背面図、図５（ｂ）はＵ字形ボルトの平面図である。
【図６】図１の電子機器ケースの壁面に取り付ける直前の状態を示す底面図である。
【図７】図１の電子機器ケースの主要部断面図である。
【図８】本発明の電子機器ケースの第２実施例を示す本体の主要部分の背面図である。
【図９】図９（ａ）は本発明の電子機器ケースの第３実施例を示す本体の主要部分の背面図、図９（ｂ）はＵ字形ボルトの平面図である。
【図１０】本発明の電子機器ケースの第４実施例を示す本体の主要部分の背面図、図１０（ｂ）はＵ字形ボルトの平面図である。
【図１１】図１１の電子機器ケースをマストに取り付けた状態を示す上方から見た背面側斜視図である。
【図１２】本発明の電子機器ケースの第５実施例を示す本体の主要部分の背面である。
【図１３】図１２の電子機器ケースの主要部断面図である。
【符号の説明】
【００４２】
１・１’・１−３〜５  電子機器ケース
２  本体
２ａ本体２の背面
２ｂ挿通孔
２ｂ’長孔部
３  開閉蓋
４  支軸
５  接続端子用開口
７  取付座
７ａ係合溝
８  Ｕ字形ボルト
９  マスト押え具
９ｃ・９ｄ長孔（取付孔）
９ｅ凹状部
９ｆ係合部（係合歯）
１０  蝶ねじ
１１  壁面取付部材
１２  当接座
１３  脚部
１４  軟質キャップ
１５・１５’保持片
１６  マスト押え具９の支持部材
１７  係止部
２１  入力端子
２２  出力端子
Ｍ  マスト
【図１】
0004716806.tif 000002
【図２】
0004716806.tif 000003
【図３】
0004716806.tif 000004
【図４】
0004716806.tif 000005
【図５】
0004716806.tif 000006
【図６】
0004716806.tif 000007
【図７】
0004716806.tif 000008
【図８】
0004716806.tif 000009
【図９】
0004716806.tif 000010
【図１０】
0004716806.tif 000011
【図１１】
0004716806.tif 000012
【図１２】
0004716806.tif 000013
【図１３】
0004716806.tif 000014